(57)【要約】【課題】この発明は、所定の装置や機器への内蔵に適する構成としたケーブルモデムモジュール装置を提供することを目的としている。また、この発明は、上記したケーブルモデムモジュール装置を内蔵した送受信装置を提供することを目的としている。【解決手段】高周波信号を送受信するアナログ信号処理部を有するチューナ部１９と、このチューナ部１９に対して入出力する信号をデジタル処理するデジタル信号処理部２０〜２３，２５〜３０とをシールドケース３６に収納した状態で、一端部がデジタル信号処理部２０〜２３，２５〜３０に接続され、他端部がシールドケース３６を挿通して外方に突出されるもので、デジタル信号処理部２０〜２３，２５〜３０に対してデジタル信号を入出力する貫通コンデンサでなる端子３７とを備えている。【選択図】    図３
2004364170.tif 000002
【特許請求の範囲】
【請求項１】
高周波信号を送受信するアナログ信号処理部を有するチューナ部と、
このチューナ部に対して入出力する信号をデジタル処理するデジタル信号処理部と、
このデジタル信号処理部及び前記チューナ部を収納するシールドケースと、
一端部が前記デジタル信号処理部に接続され、他端部が前記シールドケースを挿通して外方に突出されるもので、前記デジタル信号処理部に対してデジタル信号を入出力する貫通コンデンサでなる端子とを具備したことを特徴とするケーブルモデムモジュール装置。
【請求項２】
前記端子は、デジタル通信を行なうための送受信端子であることを特徴とする請求項１記載のケーブルモデムモジュール装置。
【請求項３】
前記デジタル通信は、ＭＩＩ、イーサネット及びＵＳＢのいずれかの通信機能によって行なわれることを特徴とする請求項２記載のケーブルモデムモジュール装置。
【請求項４】
前記ＭＩＩ、イーサネット及びＵＳＢの通信機能に対応する複数のインターフェースと、
この複数のインターフェースを選択的に前記送受信端子に接続する選択手段とを備えたことを特徴とする請求項３記載のケーブルモデムモジュール装置。
【請求項５】
高周波信号を送受信するアナログ信号処理部を有するチューナ部と、
このチューナ部を収納する第１のシールドケースと、
一端部が前記チューナ部に接続され、他端部が前記第１のシールドケースを挿通して外方に突出されるアナログ信号入出力用の端子と、
この端子の他端部が接続され、前記チューナ部に対して入出力する信号をデジタル処理するデジタル信号処理部が形成された回路基板と、
この回路基板を前記第１のシールドケースを含めて収納する第２のシールドケースと、
前記回路基板に接続され、前記第２のシールドケースを挿通してデジタル信号の入出力を行なう接続部とを具備し、
前記端子と前記接続部とを、前記回路基板上で対極となる位置に配置することを特徴とするケーブルモデムモジュール装置。
【請求項６】
前記接続部は、一端部が前記回路基板に接続され、他端部が前記第２のシールドケースを挿通して外方に突出される端子と、デジタルインターフェース用のコネクタとの両方を備えることを特徴とする請求項５記載のケーブルモデムモジュール装置。
【請求項７】
高周波信号を送受信するアナログ信号処理部を有するチューナ部と、
このチューナ部を収納する第１のシールドケースと、
一端部が前記チューナ部に接続され、他端部が前記第１のシールドケースを挿通して外方に突出されるアナログ信号入出力用の第１の端子と、
この第１の端子の他端部が接続され、前記チューナ部に対して入出力する信号をデジタル処理するもので、デジタルデータが入出力されるメモリを含むデジタル信号処理部が形成された回路基板と、
この回路基板を前記第１のシールドケースを含めて収納する第２のシールドケースと、
一端部が前記回路基板に接続され、他端部が前記第２のシールドケースを挿通して外方に突出されるデジタル信号入出力用の第２の端子とを具備し、
前記第１の端子と前記メモリとを、前記回路基板上で対辺近傍となる位置に配置することを特徴とするケーブルモデムモジュール装置。
【請求項８】
高周波信号を送受信するアナログ信号処理部を有するチューナ部と、
このチューナ部に対して入出力する信号をデジタル処理するデジタル信号処理部と、
このデジタル信号処理部及び前記チューナ部を収納するシールドケースと、
一端部が前記デジタル信号処理部に接続され、他端部が前記シールドケースを挿通して外方に突出されるもので、前記デジタル信号処理部に対してデジタル信号を入出力する端子群とを具備し、
前記端子群の一部は、前記デジタル信号処理部を前記シールドケースの外方からテストするための端子であることを特徴とするケーブルモデムモジュール装置。
【請求項９】
高周波信号を送受信するアナログ信号処理部を有するチューナ部と、
このチューナ部に対して入出力する信号をデジタル処理するデジタル信号処理部と、
このデジタル信号処理部及び前記チューナ部を収納するシールドケースと、
一端部が前記デジタル信号処理部に接続され、他端部が前記シールドケースを挿通して外方に突出されるもので、前記デジタル信号処理部を前記シールドケースの外方からテストするための端子を一部に含む端子群とを具備したことを特徴とするケーブルモデムモジュール装置。
【請求項１０】
前記デジタル信号処理部は、
テスト用の複数のインターフェースと、
この複数のインターフェースを選択的に前記テスト用の端子に接続する選択手段とを備えることを特徴とする請求項８または９記載のケーブルモデムモジュール装置。
【請求項１１】
同軸コネクタを介して高周波信号を送受信するアナログ信号処理部を有するチューナ部と、
このチューナ部に対して入出力する信号をデジタル処理するデジタル信号処理部が形成された回路基板と、
この回路基板を前記チューナ部を含めて収納するもので、前記同軸コネクタを１つの面から外方に突出させる６面体のシールドケースと、
一端部が前記回路基板に接続され、他端部が前記シールドケースを挿通して外方に突出されるもので、前記デジタル信号処理部に対してデジタル信号を入出力する端子と、
前記回路基板上における信号処理状態を表示する表示手段とを具備し、
前記表示手段を、前記シールドケースの前記同軸コネクタを突出している面と同じ面に設置することを特徴とするケーブルモデムモジュール装置。
【請求項１２】
同軸コネクタを介して高周波信号を送受信するアナログ信号処理部を有するチューナ部と、
このチューナ部に対して入出力する信号をデジタル処理するデジタル信号処理部が形成された回路基板と、
この回路基板を前記チューナ部を含めて収納するもので、前記同軸コネクタを１つの面から外方に突出させる６面体のシールドケースと、
一端部が前記回路基板に接続され、他端部が前記シールドケースを挿通して外方に突出されるもので、前記デジタル信号処理部に対してデジタル信号を入出力する端子と、
ケーブルモデムモジュール装置に固有の識別アドレスを表示する表示手段とを具備し、
前記表示手段を、前記シールドケースの前記同軸コネクタを突出している面と同じ面に設置することを特徴とするケーブルモデムモジュール装置。
【請求項１３】
高周波信号を送受信するアナログ信号処理部を有するチューナ部と、このチューナ部に対して入出力する信号をデジタル処理するデジタル信号処理部と、このデジタル信号処理部及び前記チューナ部を収納するシールドケースと、一端部が前記デジタル信号処理部に接続され他端部が前記シールドケースを挿通して外方に突出されるもので、前記デジタル信号処理部に対してデジタル信号を入出力する貫通コンデンサでなる端子とを備えたケーブルモデムモジュール装置と、
前記ケーブルモデムモジュール装置に電力を供給する電源部とを備え、前記電源部から供給される電力を用いて前記ケーブルモデムモジュール装置が動作し、外部に対してデジタル信号の送受信を行なうことを特徴とする送受信装置。
【請求項１４】
高周波信号を送受信するアナログ信号処理部を有するチューナ部と、このチューナ部を収納する第１のシールドケースと、一端部が前記チューナ部に接続され、他端部が前記第１のシールドケースを挿通して外方に突出されるアナログ信号入出力用の端子と、この端子の他端部が接続され、前記チューナ部に対して入出力する信号をデジタル処理するデジタル信号処理部が形成された回路基板と、この回路基板を前記第１のシールドケースを含めて収納する第２のシールドケースと、前記回路基板に接続され、前記第２のシールドケースを挿通してデジタル信号の入出力を行なう接続部とを備え、前記端子と前記接続部とを前記回路基板上で対極となる位置に配置したケーブルモデムモジュール装置と、
前記ケーブルモデムモジュール装置に電力を供給する電源部とを備え、前記電源部から供給される電力を用いて前記ケーブルモデムモジュール装置が動作し、外部に対してデジタル信号の送受信を行なうことを特徴とする送受信装置。
【請求項１５】
高周波信号を送受信するアナログ信号処理部を有するチューナ部と、このチューナ部を収納する第１のシールドケースと、一端部が前記チューナ部に接続され、他端部が前記第１のシールドケースを挿通して外方に突出されるアナログ信号入出力用の第１の端子と、この第１の端子の他端部が接続され、前記チューナ部に対して入出力する信号をデジタル処理するもので、デジタルデータが入出力されるメモリを含むデジタル信号処理部が形成された回路基板と、この回路基板を前記第１のシールドケースを含めて収納する第２のシールドケースと、一端部が前記回路基板に接続され、他端部が前記第２のシールドケースを挿通して外方に突出されるデジタル信号入出力用の第２の端子とを備え、前記第１の端子と前記メモリとを、前記回路基板上で対辺近傍となる位置に配置したケーブルモデムモジュール装置と、
前記ケーブルモデムモジュール装置に電力を供給する電源部とを備え、前記電源部から供給される電力を用いて前記ケーブルモデムモジュール装置が動作し、外部に対してデジタル信号の送受信を行なうことを特徴とする送受信装置。
【請求項１６】
高周波信号を送受信するアナログ信号処理部を有するチューナ部と、このチューナ部に対して入出力する信号をデジタル処理するデジタル信号処理部と、このデジタル信号処理部及び前記チューナ部を収納するシールドケースと、一端部が前記デジタル信号処理部に接続され、他端部が前記シールドケースを挿通して外方に突出されるもので、前記デジタル信号処理部に対してデジタル信号を入出力する端子群とを備え、前記端子群の一部は、前記デジタル信号処理部を前記シールドケースの外方からテストするための端子であるケーブルモデムモジュール装置と、
前記ケーブルモデムモジュール装置に電力を供給する電源部とを備え、前記電源部から供給される電力を用いて前記ケーブルモデムモジュール装置が動作し、外部に対してデジタル信号の送受信を行なうことを特徴とする送受信装置。
【請求項１７】
高周波信号を送受信するアナログ信号処理部を有するチューナ部と、このチューナ部に対して入出力する信号をデジタル処理するデジタル信号処理部と、このデジタル信号処理部及び前記チューナ部を収納するシールドケースと、一端部が前記デジタル信号処理部に接続され、他端部が前記シールドケースを挿通して外方に突出されるもので、前記デジタル信号処理部を前記シールドケースの外方からテストするための端子を一部に含む端子群とを備えたケーブルモデムモジュール装置と、
前記ケーブルモデムモジュール装置に電力を供給する電源部とを備え、前記電源部から供給される電力を用いて前記ケーブルモデムモジュール装置が動作し、外部に対してデジタル信号の送受信を行なうことを特徴とする送受信装置。
【請求項１８】
同軸コネクタを介して高周波信号を送受信するアナログ信号処理部を有するチューナ部と、このチューナ部に対して入出力する信号をデジタル処理するデジタル信号処理部が形成された回路基板と、この回路基板を前記チューナ部を含めて収納するもので、前記同軸コネクタを１つの面から外方に突出させる６面体のシールドケースと、一端部が前記回路基板に接続され、他端部が前記シールドケースを挿通して外方に突出されるもので、前記デジタル信号処理部に対してデジタル信号を入出力する端子と、前記回路基板上における信号処理状態を表示する表示手段とを備え、前記表示手段を、前記シールドケースの前記同軸コネクタを突出している面と同じ面に設置したケーブルモデムモジュール装置と、
前記ケーブルモデムモジュール装置に電力を供給する電源部と、
前記同軸コネクタが挿通される開口と、この開口に前記同軸コネクタが挿通された状態で前記表示手段に対応する位置に形成される窓とを有するパネルとを具備したことを特徴とする送受信装置。
【請求項１９】
同軸コネクタを介して高周波信号を送受信するアナログ信号処理部を有するチューナ部と、このチューナ部に対して入出力する信号をデジタル処理するデジタル信号処理部が形成された回路基板と、この回路基板を前記チューナ部を含めて収納するもので、前記同軸コネクタを１つの面から外方に突出させる６面体のシールドケースと、一端部が前記回路基板に接続され、他端部が前記シールドケースを挿通して外方に突出されるもので、前記デジタル信号処理部に対してデジタル信号を入出力する端子と、ケーブルモデムモジュール装置に固有の識別アドレスを表示する表示手段とを備え、前記表示手段を、前記シールドケースの前記同軸コネクタを突出している面と同じ面に設置したケーブルモデムモジュール装置と、
このケーブルモデムモジュール装置に電力を供給する電源部と、
前記同軸コネクタが挿通される開口と、この開口に前記同軸コネクタが挿通された状態で前記表示手段に対応する位置に形成される窓とを有するパネルとを具備したことを特徴とする送受信装置。
【発明の詳細な説明】
【０００１】
【発明の属する技術分野】
この発明は、例えばＣＡＴＶ（Ｃａｂｌｅ  Ｔｅｌｅｖｉｓｉｏｎ）回線を用いたネットワークとのインターフェースとなるケーブルモデムモジュール装置に関する。また、この発明は、上記したケーブルモデムモジュール装置を介してネットワークとデータ通信を行なう送受信装置に関する。
【０００２】
【従来の技術】
周知のように、例えばＣＡＴＶ回線を用いたネットワークに、ユーザの所有する例えばＰＣ（Ｐｅｒｓｏｎａｌ  Ｃｏｍｐｕｔｅｒ）等の送受信装置を接続するためのインターフェースとして、ケーブルモデム装置が開発されている。そして、このケーブルモデム装置は、現在、ユーザが直接取り扱うことができる独立した機器として、送受信装置とは別個に製品化されている。
【０００３】
一般に、ケーブルモデム装置は、その背面にＣＡＴＶ幹線と接続するためのＲＦ（Ｒａｄｉｏ  Ｆｒｅｑｕｅｎｃｙ）同軸コネクタ、ＰＣ等と接続するためのイーサネット（Ｅｔｈｅｒｎｅｔ）コネクタまたはジャックとＵＳＢ（Ｕｎｉｖｅｒｓａｌ  Ｓｅｒｉａｌ  Ｂｕｓ）コネクタまたはジャック、装置を初期設定に戻すためのリセットスイッチ、電源電力の供給を受けるための電源コネクタ等を装備している。
【０００４】
また、このケーブルモデム装置の前面には、電源電力の供給状態、ＣＡＴＶセンター局との接続状態、ＰＣとの接続状態、その他の機能の状態を表示するためのＬＥＤ（Ｌｉｇｈｔ  Ｅｍｉｔｔｉｎｇ  Ｄｉｏｄｅ）または液晶等でなる表示部、装置に対して電源を投入または遮断するための電源スイッチ等が装備されている。
【０００５】
そして、このケーブルモデム装置は、合成樹脂材料で形成された筐体に収納されており、ＰＣの近傍に置かれたり、壁に掛けたりすることを前提として、その形状が設定されている。
【０００６】
ところで、現在では、高集積化、部品の高性能化、実装技術が向上していることから、ケーブルモデム装置としも大幅なコストダウンや小型軽量化が促進されている。これにより、サイズの上では、ケーブルモデム装置を送受信装置に内蔵してしまうことが可能になっている。
【０００７】
しかしながら、ケーブルモデム装置は、元々、送受信装置と別体に構成されているため、送受信装置に内蔵するには、種々の点で改良を施す必要が生じることになる。
【０００８】
特許文献１には、受信系ブロックと送信系ブロックとを１つの筐体内に形成した送受信一体型高周波装置が開示されている。しかしながら、この特許文献１では、受信系ブロックと送信系ブロックとが形成された筐体を、送受信装置に内蔵することについては何らの記載もなされていないものである。
【０００９】
【特許文献１】
特開２００２−１６５２４号公報
【００１０】
【発明が解決しようとする課題】
そこで、この発明は上記事情を考慮してなされたもので、所定の装置や機器への内蔵に適する構成としたケーブルモデムモジュール装置を提供することを目的とする。また、この発明は、上記したケーブルモデムモジュール装置を内蔵した送受信装置を提供することを目的とする。
【００１１】
【課題を解決するための手段】
この発明に係るケーブルモデムモジュール装置は、高周波信号を送受信するアナログ信号処理部を有するチューナ部と、このチューナ部に対して入出力する信号をデジタル処理するデジタル信号処理部と、このデジタル信号処理部及びチューナ部を内部に収納するシールドケースと、一端部がデジタル信号処理部に接続され、他端部がシールドケースを挿通して外方に突出されるもので、デジタル信号処理部に対してデジタル信号を入出力する貫通コンデンサでなる端子とを備えるようにしたものである。
【００１２】
また、この発明に係る送受信装置は、高周波信号を送受信するアナログ信号処理部を有するチューナ部と、このチューナ部に対して入出力する信号をデジタル処理するデジタル信号処理部と、このデジタル信号処理部及びチューナ部を収納するシールドケースと、一端部がデジタル信号処理部に接続され他端部がシールドケースを挿通して外方に突出されるもので、デジタル信号処理部に対してデジタル信号を入出力する貫通コンデンサでなる端子とを備えたケーブルモデムモジュール装置と；ケーブルモデムモジュール装置に電力を供給する電源部とを備え、電源部から供給される電力を用いてケーブルモデムモジュール装置が動作し、外部に対してデジタル信号の送受信を行なうようにしたものである。
【００１３】
上記のような構成によれば、高周波信号を送受信するアナログ信号処理部を有するチューナ部と、このチューナ部に対して入出力する信号をデジタル処理するデジタル信号処理部とをシールドケースに収納した状態で、一端部がデジタル信号処理部に接続され、他端部がシールドケースを挿通して外方に突出されるもので、デジタル信号処理部に対してデジタル信号を入出力する貫通コンデンサでなる端子を備えるようにしたので、所定の装置や機器への内蔵に適する構成とすることができる。
【００１４】
【発明の実施の形態】
以下、この発明の第１の実施の形態について図面を参照して詳細に説明する。図１は、この第１の実施の形態で説明するＣＡＴＶ端末装置１１を示している。このＣＡＴＶ端末装置１１は、ＣＡＴＶ回線を用いたネットワークに接続され、予め契約された加入者に対して、ネットワークから映像プログラム、音楽プログラムまたは文字データ等を受信して供給する機能を有する。
【００１５】
また、このＣＡＴＶ端末装置１１は、加入者から入力された情報を、送信元であるＣＡＴＶセンター局に伝送する機能を有している。
【００１６】
なお、ＣＡＴＶセンター局からＣＡＴＶ端末装置１１には、例えば９０〜８６０ＭＨｚ程度の高周波の下り信号で映像プログラム、音声プログラムまたは文字データ等が配信される。また、ＣＡＴＶ端末装置１１からＣＡＴＶセンター局には、例えば５〜６５ＭＨｚ程度の高周波の上り信号で情報が伝送される。
【００１７】
このＣＡＴＶ端末装置１１は、図１に示すように、外装ケース１２、主回路基板１３、電源回路基板１４、ケーブルモデムモジュール装置１５、フロントパネル１６及びリアパネル１７等から構成されている。
【００１８】
このうち、主回路基板１３には、ケーブルモデムモジュール装置１５が実装されている。また、この主回路基板１３には、ケーブルモデムモジュール装置１５の出力から映像信号及び音声信号や文字データ等を生成する信号処理用チップＩＣ１が実装されている。
【００１９】
さらに、フロントパネル１６には、例えば受信チャンネルやＣＡＴＶセンター局からのメール等の着信の有無を表示する表示装置、電源スイッチ、音声出力用のフォノジャックあるいはリモートコントローラからの操作情報を受信する受光部等が配置されている。
【００２０】
また、リアパネル１７には、例えばＣＲＴ（Ｃａｔｈｏｄｅ  Ｒａｙ  Ｔｕｂｅ）等のディスプレイ装置に映像信号を出力する映像出力端子ＶＯ、テレビジョンモニタ装置や音声増幅装置に音声信号を出力する音声出力端子群ＡＯ、電源回路基板１４に商用電源を供給可能なＡＣ（Ａｌｔｅｒｎａｔｉｎｇ  Ｃｕｒｒｅｎｔ）ライン、ケーブルモデムモジュール装置１５に設けられたＲＦ同軸コネクタ３２等が配置されている。
【００２１】
ここで、上記ケーブルモデムモジュール装置１５は、ＣＡＴＶセンター局との通信の制御、ＣＡＴＶセンター局に送信する上り信号の生成、ＣＡＴＶセンター局から送信された下り信号の復調、ケーブルモデムモジュール装置１５に接続されている外部装置とのデータ通信の制御、電源回路等の機能を有している。
【００２２】
図２は、ケーブルモデムモジュール装置１５の信号処理系を示している。このケーブルモデムモジュール装置１５は、ＣＡＴＶセンター局１８と上記ＲＦ同軸コネクタ３２を介して信号を送受信する高周波信号を扱うチューナ部１９と、このチューナ部１９に対して入出力する信号をデジタル処理するデジタル信号処理部ＤＰとを備えている。
【００２３】
このデジタル信号処理部ＤＰは、チューナ部１９で周波数変換されて出力される下り信号をデジタル信号に変換するＡ／Ｄ（Ａｎａｌｏｇ／Ｄｉｇｉｔａｌ）コンバータ２０、デジタル信号に変換された下り信号を復調してデータ化する復調部２１を備え、データ化された下り信号はＭＡＣ（Ｍｅｄｉａ  Ａｃｃｅｓｓ  Ｃｏｎｔｒｏｌ）部２２に供給される。
【００２４】
さらに、ＭＡＣ部２２で生成されたデジタルの上り信号は、Ｄ／Ａ（Ｄｉｇｉｔａｌ／Ａｎａｌｏｇ）コンバータ２３でアナログ信号に変換され、チューナ部１９を介してＣＡＴＶセンター局１８に送信される。
【００２５】
また、ＭＡＣ部２２は、ＣＡＴＶセンター局１８と送受信したデータを、ケーブルモデムモジュール装置１５に接続されている外部装置２４と通信する機能を有している。
【００２６】
すなわち、ＭＡＣ部２２の下り側データ入出力端子には、ＭＩＩ（Ｍｅｄｉａ  Ｉｎｄｅｐｅｎｄｅｎｔ  Ｉｎｔｅｒｆａｃｅ）２５が準備され、ＭＩＩ２５は、ケーブルモデムモジュール装置１５に対して直接入出力できるように選択器２６に接続されている。
【００２７】
また、ＭＩＩ２５は、イーサネットインターフェース部２７とも接続され、イーサネットインターフェース部２７の下り側データ入出力端子は、イーサネットでＩＥＥＥ８０２．３等の規格の形式に変換されて、上記選択器２６に接続されている。
【００２８】
さらに、ＭＡＣ部２２は、ＵＳＢインターフェース部２８とも接続されて、上記選択器２６に接続されている。
【００２９】
この選択器２６は、ＭＩＩ２５、イーサネットインターフェース部２７またはＵＳＢインターフェース部２８のいずれかの通信機能を選択して、外部装置２４とデータの通信を行なわせる。
【００３０】
また、このケーブルモデムモジュール装置１５は、チューナ部１９を含めた各回路部の動作を統括的に制御する、マイクロコンピュータ等を内蔵した主制御部２９と、ＩＣメモリ３０とを備えている。この主制御部２９及びＩＣメモリ３０は、ＭＡＣ部２２に接続されている。
【００３１】
さらに、チューナ部１９を含めた各回路部に対して、ケーブルモデムモジュール装置１５の外部から電源電力が供給されるようになっている。
【００３２】
図３は、ケーブルモデムモジュール装置１５の構造を示している。図３において、符号３１は回路基板である。この回路基板３１は、図２に示したチューナ部１９及びデジタル信号処理部ＤＰが実装されている。
【００３３】
チューナ部１９には、ＣＡＴＶ幹線と接続するためのＲＦ同軸コネクタ３２が備えられている。このＲＦ同軸コネクタ３２は、回路基板３１に実装されたチューナ部１９に接続されている。
【００３４】
デジタル信号処理部ＤＰは、上記Ａ／Ｄコンバータ２０、復調部２１、ＭＡＣ部２２、Ｄ／Ａコンバータ２３、ＭＩＩ２５、イーサネットインターフェース部２７及び主制御部２９等をＩＣ化した半導体チップＩＣ２と、それぞれＩＣチップ化されたＵＳＢインターフェース部２８及びＩＣメモリ３０とを、回路基板３１に実装することで構成されている。
【００３５】
ここで、ケーブルモデムモジュール装置１５は、回路基板３１の面方向と直交する周囲４面を覆うとともに、外部からの電磁波をシールドする金属ケース３３と、この４面体の金属ケース３３の一方の開口を覆うとともに、外部からの電磁波をシールドする第１のカバー３４と、金属ケース３３の他方の開口を覆うとともに、外部からの電磁波をシールドする第２のカバー３５とから形成された６面体のシールドケース３６、もしくは、それに類似した形状の筐体からなる。
【００３６】
金属ケース３３は、このケーブルモデムモジュール装置１５のデジタル信号処理部ＤＰと通信するためや、電源を供給するための電気的接続を目的とする端子群３７を備えている。この端子群３７には、貫通コンデンサ等の、他の外部回路基板（この場合、主回路基板１３）に直接はんだ付けすることができる端子や、簡易な構造のコネクタで接続することができる端子を用いている。この端子群３７を構成する端子は、その一端部が回路基板３１に接続され、他端部が金属ケース３３を挿通して外方に突出されている。
【００３７】
また、この端子群３７には、ＭＩＩ２５、イーサネットインターフェース部２７またはＵＳＢインターフェース部２８のいずれかの通信信号が選択器２６で選択され、外部装置２４と通信を行なうための端子を備えている。
【００３８】
このように、回路基板３１を金属ケース３３と第１及び第２のカバー３４，３５との中に収納して略６面を覆うような構成とし、貫通コンデンサ等の主回路基板１３に直接はんだ付けすることができる端子群３７に、ＭＩＩ２５、イーサネットインターフェース部２７またはＵＳＢインターフェース部２８のいずれかの通信機能を持たせることにより、主回路基板１３と端子群３７を介してケーブルモデムモジュール装置１５が通信可能となり、ケーブルモデムモジュール装置１５を主回路基板１３に実装することが可能となる。
【００３９】
また、端子群３７が貫通コンデンサであれば、イーサネットコネクタまたはジャック、ＵＳＢコネクタまたはジャック等を用いるのに比して、非常に安価に構成することができる。
【００４０】
さらに、端子群３７を貫通コンデンサで構成し、主回路基板１３に直接はんだ付けする構成とすれば、一般的なイーサネットケーブルまたはＵＳＢケーブル等の高価なケーブルを必要としなくて済むことになる。また、長いケーブルを持つことによって、他のＰＣ等からの不要輻射を受けることも少なく、良好な通信品質を確保することができる。さらに、このケーブルモデムモジュール装置１５を含む周辺トータルコストを安価にすることもできる。
【００４１】
また、貫通コンデンサであることから、高周波特性も十分に考慮した設計が可能であり、不要信号の重畳を低減することもできる。
【００４２】
さらに、選択器２６で通信機能を選択することにより、端子群３７に各通信機能毎の端子を全て設ける必要がなくなり、端子数を削減することができ、小型化及び低コスト化に貢献することができる。
【００４３】
なお、選択器２６としては、トランジスタまたはＦＥＴ等からなる電子式スイッチ、リレー等を用いる機械式スイッチ、または、製造時に接続を選択することができるような部品が実装されているか非実装かで選択できるような手段が考えられる。
【００４４】
また、回路基板３１には、ＭＩＩ２５、イーサネットインターフェース部２７またはＵＳＢインターフェース部２８の部品を実装することを可能にしておきながら、製造時に、ＭＩＩ２５、イーサネットインターフェース部２７またはＵＳＢインターフェース部２８のいずれかの必要とするインターフェース回路を選択的に実装して、端子群３７に接続するようにすることも考えられる。
【００４５】
このようにすれば、必要としない通信方法の部品を実装せずに済み、選択器２６も不要となり、また、いずれの通信方法を選択しても回路基板３１を共通化できるため、安価なケーブルモデムモジュール装置１５を提供することができる。
【００４６】
次に、この発明の第２の実施の形態について説明する。図４において、図３と同一部分には同一符号を付して説明する。すなわち、前記チューナ部１９は、チューナ回路基板３８上に回路を形成し、このチューナ回路基板３８を金属等の電磁波の不要輻射を遮蔽する効果のある素材で形成されたシールドケース３９内に収納した構成となっている。
【００４７】
そして、このチューナ部１９は、一端部がチューナ回路基板３８に接続され、他端部がシールドケース３９を挿通して外方に突出される、アナログ信号入出力用の端子群４０を備えている。このチューナ部１９は、端子群４０の他端部を回路基板３１に接続することにより、回路基板３１に実装されデジタル信号処理部ＤＰと接続されている。
【００４８】
ここで、チューナ部１９の端子群４０と、金属ケース３３の端子群３７とは、回路基板３１上で概ね対極する位置に実装されており、両端子群３７，４０間の距離をできるかぎり長くとるようにしている。
【００４９】
一般に、チューナ部１９内、及び端子群４０で扱われる信号は、微弱なアナログ信号であることが多く、またアナログ信号であるために不要な信号の重畳は通信品質を劣化させるおそれがある。
【００５０】
これに対し、金属ケース３３の端子群３７で扱われる通信形式は、イーサネット、ＵＳＢまたはＭＩＩ等により、ケーブルモデムモジュール装置１５の内外を高速なデジタル信号が入出力するものである。つまり、このデジタル信号の基本動作周波数信号成分及びその高調波信号成分は、端子群４０で扱われる信号に対しては、まさにノイズ及び不要信号源となる。
【００５１】
また、デジタル信号は、端子群４０で扱われる信号振幅に対しても、非常に大きい振幅であることが多く、その振幅差のために、端子群４０に不要輻射によるノイズ及び不要信号として重畳された場合、通信品質の劣化が大きくなる。
【００５２】
特に、Ｄ／Ａコンバータ２３から出力され端子群４０を介してチューナ部１９に入力される信号、また、チューナ部１９で受信し端子群４０を介してＡ／Ｄコンバータ２０に供給される信号は、端子群３７で扱われる信号の不要輻射による不要信号の重畳により、ケーブルモデムモジュール装置１５の標準規格の性能を満たせなかったり、受信性能の劣化を招くおそれがある。
【００５３】
図４に示した第２の実施の形態によれば、端子群３７と端子群４０とを、回路基板３１の上でできるだけ遠ざけることにより、不要輻射によるノイズ及び不要信号として重畳する振幅を最小限に抑え、その影響を少なくすることができる。その結果、端子群４０で扱われる信号の品質を良好に保つことができ、これにより、チューナ部１９は、ＣＡＴＶセンター局１８との高品位な送受信を可能とすることができる。
【００５４】
なお、端子群３７は、貫通コンデンサ等のノイズや不要信号を低減する、フィルタ機能を備えた端子で構成されているが、図５に示すように、外部とのデジタル通信には、イーサネットやＵＳＢ規格の標準インターフェースコネクタ４１を使用することもできる。この場合、端子群４０と標準インターフェースコネクタ４１とを、回路基板３１上で概ね対極する位置に実装することになる。
【００５５】
次に、この発明の第３の実施の形態について説明する。すなわち、図６及び図７において、図４と同一部分には同一符号を付して説明すると、回路基板３１上の一方の辺に近い位置にチューナ部１９の端子群４０を配置し、この辺と反対側の回路基板３１上の辺（対辺）に近い位置、つまり対辺近傍に、前記ＩＣメモリ３０を配置している。
【００５６】
つまり、端子群４０とＩＣメモリ３０と間の距離をできるかぎり長くとるようにしている。要するに、ＩＣメモリ３０においても、デジタル通信の端子群３７と同様に、高速なデジタル信号の入出力が行なわれており、このデジタル信号が端子群３７で扱われるデジタル信号と同様に、チューナ部１９の端子群４０で扱われる信号に悪影響を及ぼすことになる。
【００５７】
図６に示した第３の実施の形態によれば、ＩＣメモリ３０と端子群４０とを回路基板３１上でできるだけ遠ざけることにより、不要輻射によるノイズ及び不要信号として重畳する振幅を最小限に抑え、その影響を少なくすることができる。その結果、端子群４０で扱われる信号の品質を良好に保つことができ、これにより、チューナ部１９は、ＣＡＴＶセンター局１８との高品位な送受信を可能とすることができる。
【００５８】
なお、ＩＣメモリ３０と端子群４０とは、回路基板３１上の対辺に限らず対極に設置することも考えられる。さらに、ＩＣメモリ３０と端子群４０とは、回路基板３１上でチューナ部１９のシールドケース３９を挟む位置に設置することもできる。
【００５９】
また、ＩＣメモリ３０に限らず、デジタル信号を扱う部品、つまり、ＭＩＩ２５、イーサネットインターフェース部２７及びＵＳＢインターフェース部２８等のデジタル信号処理部を、端子群４０から遠ざけることにより、チューナ部１９で扱うアナログ信号に対する悪影響を低減することが可能となる。
【００６０】
次に、この発明の第４の実施の形態について説明する。すなわち、図８及び図９において、図２及び図３と同一部分には同一符号を付して説明すると、主制御部２９には、ＪＴＡＧ（Ｊｏｉｎｔ  Ａｃｔｉｏｎ  Ｔｅｓｔ  Ｇｒｏｕｐ）規格に適合するＪＴＡＧプロトコル（ＩＥＥＥ１１４９．１）に対応するＪＴＡＧまたはＥＪＴＡＧ（Ｅｎｈａｎｃｅｄ  ＪＴＡＧ）インターフェース用端子４２が接続されている。
【００６１】
この端子４２は、ケーブルモデムモジュール装置１５のソフトウェアのデバッグ、設定、確認等のテストを行なうためにＰＣと接続するもので、ＰＣと主制御部２９のマイクロコンピュータとの通信を行なわせるためのものである。この端子４２は、ケーブルモデムモジュール装置１５の製造時に使用されるもので、製造後は、ユーザに使用されないことを前提としている。
【００６２】
そして、この端子４２は、図９に示すように、金属ケース３３に備えられた端子群３７に含まれている。このため、端子群３７の中の端子４２に対応する端子にＰＣを接続して、主制御部２９のマイクロコンピュータと通信を行なうことにより、ケーブルモデムモジュール装置１５のソフトウェアのデバッグ、設定、確認等を行なうことが可能となる。
【００６３】
この場合、端子群３７は、ケーブルモデムモジュール装置１５の外部に露出されることになるが、製品出荷時には、このケーブルモデムモジュール装置１５自体が、図１に示したようにＣＡＴＶ端末装置１１の外装ケース１２内に内蔵されるので、ユーザが端子群３７を介して主制御部２９のマイクロコンピュータにアクセスすることは防止される。
【００６４】
このように、端子群３７にＪＴＡＧまたはＥＪＴＡＧインターフェース用端子４２を含ませるようにすることにより、ケーブルモデムモジュール装置１５をＣＡＴＶ端末装置１１に組み込んでからも、外装ケース１２が固定される前であれば、端子４２を介して主制御部２９のマイクロコンピュータにアクセスすることができるので、ＣＡＴＶ端末装置１１の製造過程でも、ケーブルモデムモジュール装置１５のソフトウェアのデバッグ、設定、確認等を行なうことができる。
【００６５】
また、ＣＡＴＶ端末装置１１の完成後も、サービス、修理またはメンテナンス時等に、正規のサービスマンや技術者が外装ケース１２を取り外すことにより、ケーブルモデムモジュール装置１５のソフトウェアのデバッグ、設定、確認等を行なうことができる。
【００６６】
図１０は、図８に示した第４の実施の形態の変形例を示している。すなわち、主制御部２９は、ＪＴＡＧ及びＥＪＴＡＧの両方のインターフェース機能を有している。そして、主制御部２９のＪＴＡＧ及びＥＪＴＡＧの両方のインターフェースは、選択器４３を介してインターフェース用端子４２に接続される。
【００６７】
このような選択器４３を備えることで、ＪＴＡＧ及びＥＪＴＡＧのインターフェースを自由に選択することが可能となる。また、１種類の回路基板３１でどちらのインターフェースも選択できるため、安価で取り扱いの便利なケーブルモデムモジュール装置１５を提供することができる。
【００６８】
なお、ケーブルモデムモジュール装置１５のソフトウェアのデバッグ、設定、確認等を行なうためにＰＣと接続するインターフェースとしては、ＪＴＡＧ及びＥＪＴＡＧに限らず、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）等を使用しても良く、これらの３者を任意に選択することができるようにしても良いものである。
【００６９】
次に、この発明の第５の実施の形態について説明する。すなわち、図１１に示すように、ケーブルモデムモジュール装置１５は、そのシールドケース３６に突設されたＲＦ同軸コネクタ３２を、外装ケース１２のリアパネル１７に形成された透孔１７ａを挿通させて、外装ケース１２の外部に突出させている。
【００７０】
ここで、ケーブルモデムモジュール装置１５には、そのＲＦ同軸コネクタ３２が突設されている面と同じ面に、ケーブルモデムモジュール装置１５の設定状態や動作状態等、例えばＣＡＴＶセンター局１８とのリンク状態等、つまり、回路基板３１上における信号処理状態を表示するための、ＬＥＤ等でなる表示器４４が設置されており、シールドケース３６にはケーブルモデムモジュール装置１５の外部から表示器４４を認識できることのできる窓が形成されている。
【００７１】
そして、外装ケース１２のリアパネル１７には、ケーブルモデムモジュール装置１５のＲＦ同軸コネクタ３２が挿通される開口１７ａと、ＲＦ同軸コネクタ３２を開口１７ａに挿通させた状態で、表示器４４に対応する位置に、窓１７ｂが形成されている。ユーザは、この窓１７ｂを介して、表示器４４の表示状態を認識することができる。
【００７２】
図１１に示した第５の実施の形態によれば、ケーブルモデムモジュール装置１５のシールドケース３６に、そのＲＦ同軸コネクタ３２が突設されている面と同じ面に表示器４４を設置するようにしたので、ＲＦ同軸コネクタ３２をリアパネル１７から外方に突出させるように設置した状態で、表示器４４は必然的にリアパネル１７側を向くことになる。
【００７３】
このため、リアパネル１７の表示器４４に対応する位置に窓１７ｂを形成するだけ、つまり、ケーブルモデムモジュール装置１５に関しての加工面をリアパネル１７のみにでき、製造上効果的である。
【００７４】
なお、シールドケース３６に形成される窓、及び、リアパネル１７に形成される窓１７ｂは、開口であったり、開口に透明な樹脂を充填することによって形成することができる。
【００７５】
次に、この発明の第６の実施の形態について説明する。すなわち、図１２に示すように、ケーブルモデムモジュール装置１５のシールドケース３６には、そのＲＦ同軸コネクタ３２が突設されている面と同じ面に、ＭＡＣアドレスを表示したラベル４５が貼付されている。
【００７６】
このＭＡＣアドレスは、ＣＡＴＶセンター局１８とケーブルモデムモジュール装置１５との間の通信制御のため、ネットワークでホストを識別するために各ケーブルモデムモジュール装置１５にそれぞれ固有に設定されるもので、世界中に１つしかないユニークハードウェアアドレスである。ラベル４５には、番号あるいはバーコード等で表示されている。
【００７７】
そして、外装ケース１２のリアパネル１７には、ケーブルモデムモジュール装置１５のＲＦ同軸コネクタ３２を透孔１７ａに挿通させた状態で、ラベル４５に対応する位置に、窓１７ｃが形成されている。これにより、この窓１７ｃを介して、ＣＡＴＶ端末装置１１の外部からＭＡＣアドレスを認識することができる。
【００７８】
図１２に示した第６の実施の形態によっても、リアパネル１７のラベル４５に対応する位置に窓１７ｃを形成するだけ、つまり、ケーブルモデムモジュール装置１５に関しての加工面をリアパネル１７のみにでき、製造上効果的である。なお、この窓１７ｃも、開口であったり、開口に透明な樹脂を充填することによって形成することができる。
【００７９】
以上に説明した各実施の形態では、ケーブルモデムモジュール装置１５が内蔵される送受信装置としてＣＡＴＶ端末装置１１を例に説明したが、送受信装置としては、例えばゲーム機器等であっても適用することができる。
【００８０】
例えば、図１３に示すようなゲーム機器４６は、外装ケース４７、主回路基板４８、電源回路基板４９、ケーブルモデムモジュール装置５０、フロントパネル５１及びリアパネル５２等からなる。なお、フロントパネル５１には、コントローラ５９が接続可能である。
【００８１】
このゲーム機器４６は、例えばセンター局からダウンロード可能なゲームソフトやバージョンアップデータまたはハイスコアデータ等を記憶可能なＨＤＤ（Ｈａｒｄ  Ｄｉｓｋ  Ｄｒｉｖｅ）５３や、対戦型ゲームにおいてセンター局にエントリされている任意の対戦相手との通信を確保／切断可能な通信ユニット等が設けられている。
【００８２】
なお、ゲーム用ソフトウェアの主要な部分が、例えばＤＶＤ（Ｄｉｇｉｔａｌ  Ｖｅｒｓａｔｉｌｅ  Ｄｉｓｋ）規格のディスク媒体や、特定の規格の記憶媒体（カートリッジあるいはカード）を介して供給される場合に備えて、ディスクドライブ装置やカード（カートリッジ）スロットが一体に組み込まれていてもよい。
【００８３】
なお、詳細な説明を省略するが、主回路基板４８の所定の位置には、図３または図４を用いて前に説明したのと同様に、例えばＲＦ同軸コネクタ５４が回路基板５５に取り付けられたケーブルモデムモジュール装置５０が固定されている。
【００８４】
また、ケーブルモデムモジュール装置５０は、金属ケース５６、上カバー５７及び下カバー５８により、シールドされているので、外来の不要輻射が回路基板５５に入力され、または回路基板５５からの不要輻射がケーブルモデムモジュール装置５０の外部へ出力されることが低減される。
【００８５】
したがって、上述したケーブルモデムモジュール装置（シールド機構）を用いることにより、高品位な信号の送受信が可能となる。
【００８６】
なお、この発明は上記した実施の形態そのままに限定されるものではなく、実施段階ではその要旨を逸脱しない範囲で構成要素を種々変形して具体化することができる。
【００８７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００８８】
【発明の効果】
以上詳述したようにこの発明によれば、所定の装置や機器への内蔵に適する構成としたケーブルモデムモジュール装置を提供することができる。また、この発明によれば、上記したケーブルモデムモジュール装置を内蔵した送受信装置を提供することができる。
【図面の簡単な説明】
【図１】この発明の第１の実施の形態を示すもので、ＣＡＴＶ端末装置を説明するために示す斜視図。
【図２】同ＣＡＴＶ端末装置におけるケーブルモデムモジュール装置の信号処理系を説明するために示すブロック構成図。
【図３】同ケーブルモデムモジュール装置の構造を説明するために示す分解斜視図。
【図４】この発明の第２の実施の形態を示すもので、ケーブルモデムモジュール装置の構造を説明するために示す分解斜視図。
【図５】同第２の実施の形態におけるケーブルモデムモジュール装置の変形例を説明するために示す分解斜視図。
【図６】この発明の第３の実施の形態を示すもので、ケーブルモデムモジュール装置の構造を説明するために示す分解斜視図。
【図７】同第３の実施の形態におけるケーブルモデムモジュール装置の構造を説明するために示す側断面図。
【図８】この発明の第４の実施の形態を示すもので、ケーブルモデムモジュール装置の信号処理系を説明するために示すブロック構成図。
【図９】同第４の実施の形態におけるケーブルモデムモジュール装置の構造を説明するために示す分解斜視図。
【図１０】同第４の実施の形態におけるケーブルモデムモジュール装置の変形例を説明するために示すブロック構成図。
【図１１】この発明の第５の実施の形態を示すもので、ＣＡＴＶ端末装置とケーブルモデムモジュール装置との関係を説明するために示す斜視図。
【図１２】この発明の第６の実施の形態を示すもので、ＣＡＴＶ端末装置とケーブルモデムモジュール装置との関係を説明するために示す斜視図。
【図１３】各実施の形態におけるケーブルモデムモジュール装置が内蔵される送受信装置の他の例を説明するために示す図。
【符号の説明】
１１…ＣＡＴＶ端末装置、１２…外装ケース、１３…主回路基板、１４…電源回路基板、１５…ケーブルモデムモジュール装置、１６…フロントパネル、１７…リアパネル、１８…ＣＡＴＶセンター局、１９…チューナ部、２０…Ａ／Ｄコンバータ、２１…復調部、２２…ＭＡＣ部、２３…Ｄ／Ａコンバータ、２４…外部装置、２５…ＭＩＩ、２６…選択器、２７…イーサネットインターフェース部、２８…ＵＳＢインターフェース部、２９…主制御部、３０…ＩＣメモリ、３１回路基板、３２…ＲＦ同軸コネクタ、３３…金属ケース、３４…第１のカバー、３５…第２のカバー、３６…シールドケース、３７…端子群、３８…チューナ回路基板、３９…シールドケース、４０…端子群、４１…標準インターフェースコネクタ、４２…インターフェース用端子、４３…選択器、４４…表示器、４５…ラベル、４６…ゲーム機器、４７…外装ケース、４８…主回路基板、４９…電源回路基板、５０…ケーブルモデムモジュール装置、５１…フロントパネル、５２…リアパネル、５３…ＨＤＤ、５４…ＲＦ同軸コネクタ、５５…回路基板、５６…金属ケース、５７…上カバー、５８…下カバー、５９…コントローラ。
【図１】
2004364170.tif 000003
【図２】
2004364170.tif 000004
【図３】
2004364170.tif 000005
【図４】
2004364170.tif 000006
【図５】
2004364170.tif 000007
【図６】
2004364170.tif 000008
【図７】
2004364170.tif 000009
【図８】
2004364170.tif 000010
【図９】
2004364170.tif 000011
【図１０】
2004364170.tif 000012
【図１１】
2004364170.tif 000013
【図１２】
2004364170.tif 000014
【図１３】
2004364170.tif 000015